(57)【要約】      （修正有）【課題】傾斜角度を自由に調整でき、置く場所を選ばすに快適に使用でき、その角度を平衡状態で維持することのできるディスプレイを提供する。【解決手段】ディスプレイ本体１０と、ディスプレイ本体１０を支持するとともに略球面形状の底面を有する円弧球面ベース２０とを備え、円弧球面ベース２０は中空であって、円弧球面ベース２０の内部に移動自在の複数の粒状物を備え、粒状物を移動させることによってディスプレイ本体１０の傾斜角度を調節可能に構成した。【選択図】図１
0003109357.tif 000002
【実用新案登録請求の範囲】
【請求項１】
ディスプレイ本体と、このディスプレイ本体を支持するとともに略球面形状の底面を有する円弧球面ベースとを備え、前記円弧球面ベースは中空であって、前記円弧球面ベースの内部に移動自在の充填物を備え、この充填物を移動させることによって前記ディスプレイ本体の傾斜角度を調節可能に構成したことを特徴とするディスプレイ。
【請求項２】
前記円弧球面ベースは、略球面形状の底面を有する容器状に形成された円弧底部とこの円弧底部を覆う上カバー部とを備え、前記ディスプレイ本体は前記上カバー部の上に設置されるとともに、前記円弧底部と前記上カバー部の間に前記充填物を収容する収容部が形成されたことを特徴とする請求項１に記載のディスプレイ。
【請求項３】
前記充填物は複数の粒状物からなることを特徴とする請求項１又は２に記載のディスプレイ。
【請求項４】
前記充填物は、前記収容部の体積の６０％〜９０％を占めていることを特徴とする請求項２又は３に記載のディスプレイ。
【請求項５】
前記円弧底部は、弾性材料からなることを特徴とする請求項２〜４のいずれか１項に記載のディスプレイ。
【請求項６】
前記ディスプレイ本体は第一ロック部を備え、前記円弧球面ベースは第二ロック部を備え、前記第一ロック部と前記第二ロック部との接合によって前記ディスプレイ本体と前記円弧球面ベースが接合するように構成したことを特徴とする請求項１〜５のいずれか１項に記載のディスプレイ。
【請求項７】
前記第一ロック部は開口部であり、前記第二ロック部は前記開口部に嵌合する嵌合部であり、前記ディスプレイ本体と前記円弧球面ベースとを接合すると前記第二ロック部は前記第一ロック部内でロックするように構成されたことを特徴とする請求項６に記載のディスプレイ。
【請求項８】
前記ディスプレイ本体は、液晶ディスプレイであることを特徴とする請求項１〜７のいずれか１項に記載のディスプレイ。
【請求項９】
前記ディスプレイ本体は、テレビであることを特徴とする請求項１〜７のいずれか１項に記載のディスプレイ。
【請求項１０】
前記ディスプレイ本体は、プラズマディスプレイであることを特徴とする請求項１〜７のいずれか１項に記載のディスプレイ。
【請求項１１】
前記ディスプレイ本体は、有機発光ディスプレイであることを特徴とする請求項１〜７のいずれか１項に記載のディスプレイ。
【考案の詳細な説明】
【技術分野】
【０００１】
本考案は、傾斜角度を調整可能に構成されたディスプレイに関し、特に、組合せタイプの嵌め込み、または球面軌道を用いて多方向に傾斜角度を調整可能に構成されたディスプレイに関するものである。
【背景技術】
【０００２】
ディスプレイ、例えば、テレビ、液晶ディスプレイ、ノート型パソコンのモニタなどは、技術の進歩に伴い性能が向上し、消費者は、軽量薄型の形状や、画面の品質を考慮に入れる他、ディスプレイの外観に対しても、更に、精巧さ、使い易さを重視するようになってきている。
【０００３】
ここで、体積が小さい軽量薄型のディスプレイを例にすると、大部分のディスプレイは会社、または自宅の机の上に置かれているが、一般的に、自宅で軽量型のディスプレイを使う時には、自在にリビングのテーブル、またはフロアーの上に置いてディスプレイが使えれば便利である。しかし、会社、または自宅の机以外の場所にディスプレイを置かなければならない場合、現在のディスプレイは幅の割に高さがやや高いことから、ディスプレイパネルが前後方向に向かって傾き易く、ユーザーにとって比較的使いにくいものであった。また、一般のディスプレイの傾斜角度を調整するための構造は、一般の嵌め合わせ、または嵌め込みの方法を用いており、角度を微調整できるものの、多方向に向けて傾斜角度の調整を行うことができないという問題があった。
【考案の開示】
【考案が解決しようとする課題】
【０００４】
そこで、本考案は、上述の問題を解決し、傾斜角度を自由に調整でき、置く場所を選ばすに快適に使用でき、その角度を平衡状態で維持することのできるディスプレイを提供することを目的とする。
【課題を解決するための手段】
【０００５】
本考案のディスプレイは、ディスプレイ本体と、このディスプレイ本体を支持するとともに略球面形状の底面を有する円弧球面ベースとを備え、前記円弧球面ベースは中空であって、前記円弧球面ベースの内部に移動自在の充填物を備え、この充填物を移動させることによって前記ディスプレイ本体の傾斜角度を調節可能に構成したことを特徴とする。
【０００６】
また、前記円弧球面ベースは、略球面形状の底面を有する容器状に形成された円弧底部とこの円弧底部を覆う上カバー部とを備え、前記ディスプレイ本体は前記上カバー部の上に設置されるとともに、前記円弧底部と前記上カバー部の間に前記充填物を収容する収容部が形成されたことを特徴とする。
【０００７】
また、前記充填物は複数の粒状物からなることを特徴とする。
【０００８】
また、前記充填物は、前記収容部の体積の６０％〜９０％を占めていることを特徴とする。
【０００９】
また、前記円弧底部は、弾性材料からなることを特徴とする。
【００１０】
また、前記ディスプレイ本体は第一ロック部を備え、前記円弧球面ベースは第二ロック部を備え、前記第一ロック部と前記第二ロック部との接合によって前記ディスプレイ本体と前記円弧球面ベースが接合するように構成したことを特徴とする。
【００１１】
また、前記第一ロック部は開口部であり、前記第二ロック部は前記開口部に嵌合する嵌合部であり、前記ディスプレイ本体と前記円弧球面ベースとを接合すると前記第二ロック部は前記第一ロック部内でロックするように構成されたことを特徴とする。
【００１２】
さらに、前記ディスプレイ本体は、液晶ディスプレイ、テレビ、有機発光ディスプレイ、又はプラズマディスプレイであることを特徴とする。
【考案の効果】
【００１３】
本考案のディスプレイによれば、全く新しい発想の多方向に傾斜角度を自由に調整でき、置く場所を選ばすに快適に使用でき、その角度を平衡状態で維持することができるディスプレイを提供することができる。したがって、ディスプレイを置く場所を選ばず、使い勝手がよい。また、従来のディスプレイのような角度調整をするための機械的構造を有しないので、構造が簡単であって組み立てが容易である。
【考案を実施するための最良の形態】
【００１４】
本考案についての目的、特徴、長所が一層明確に理解されるよう、以下に実施形態を例示し、図面を参照しながら、詳細に説明する。
【実施例】
【００１５】
本考案のディスプレイの実施形態について、具体例を挙げて詳細に説明する。なお、ここでは液晶ディスプレイを例にとって説明するが、本考案の特徴はまた、例えば、テレビ、プラズマディスプレイ（ＰＤＰ）、有機発光ディスプレイ（ＯＬＥＤ）などのその他のディスプレイ、に用いることができるものである。
【００１６】
図１は、本考案の多方向に傾斜角度を調整できるディスプレイ１００の斜視図を示している。図２は、本考案の多方向に傾斜角度を調整できるディスプレイ１００の側面図を示している。
【００１７】
図１と図２に示すように、本考案の多方向に傾斜角度を調整できるディスプレイ１００は、一つのディスプレイ本体１０と一つの円弧球面ベース２０を備えている。ディスプレイ本体１０は、解体組立て方法で円弧球面ベース２０の上に設置することができ、円弧球面ベース２０は、ディスプレイ本体１０を支えるのに用いられ、前記円弧球面ベース２０の円弧球面に応じて多方向にディスプレイの傾斜角度を調整できるようになっている。
【００１８】
図３は、本考案の多方向に傾斜角度を調整できるディスプレイの正面図を示している。図３に示すように、円弧球面ベース２０の断面は、円弧形である。図４に示すように、変形例として、円弧球面ベース２０の断面を半楕円形としてもよい。
【００１９】
図５は、本考案の多方向に傾斜角度を調整できるディスプレイ１００の分解図を示している。図５に示すように、ディスプレイ本体１０は、第一ロック部１１を備え、円弧球面ベース２０は、第二ロック部２２を備え、第一ロック部１１と第二ロック部２２の接合によって、ディスプレイ本体１０と円弧球面ベース２０が接合するようになっている。
【００２０】
本実施例では、ディスプレイ本体１０の第一ロック部１１は、開口した開口部として形成されており、円弧球面ベース２０の第二ロック部２２は、第一ロック部１１に嵌合する嵌合部となっている。ディスプレイ本体１０と円弧球面ベース２０を接合する際に、第二ロック部２２は、第一ロック部１１の開口部内でロックするようになっている。
【００２１】
円弧球面ベース２０は、上カバー部２０１、下カバー部２０３と円弧底部２０２を備えている。ディスプレイ本体１０は、上カバー部２０１の上に設置され、上カバー部２０１は、金属製であって、全体の構造の強度を増加するようになっている。下カバー部２０３は、プラスチック製であって、複数のネジ２６によって上カバー部２０１、下カバー部２０３は円弧底部２０２に固定されている。
【００２２】
変形例として、円弧球面ベース２０の上カバー部２０１、下カバー部２０３と円弧底部２０２を一体成形としてもよい。
【００２３】
また、円弧球面ベース２０の内部には、更に複数の充填物が充填されている。すなわち、円弧底部２０２と上カバー部２０１の間には、収容部としての収容空間が構成され、この収容空間に前記の充填物が収容されている。本実施例では、充填物は、移動可能な粒状物２５であって、中空の円弧底部２０２の中に設置されている。また、円弧底部２０２の内部は、円弧面となっており、充填物としての粒状物２５を円弧底部２０２内で平衡位置に移動させることによって、水平面Ｈ上で円弧底部２０２の円弧球面に沿って多方向にディスプレイ１００の傾斜角度を調整させることができ、ユーザーの好みに応じてディスプレイ１００の傾斜方向と角度を調整できるようになっている。本実施例では、粒状物２５は、前述の収容空間の全体を埋めるように充填されてはならず、円弧底部２０２の内部の収容空間の体積の６０％〜９０％の間を占めるように充填されるのが好ましく、さらに、収容空間の体積の７５％〜８５％を占めるように充填されるのがより好ましい。上カバー部２０１と下カバー部２０３には、それぞれ対応する孔２３１、２３２が形成されており、円弧球面ベース２０の組立て後に、孔２３１、２３２によって円弧底部２０２の内部の収容空間の中に粒状物２５を充填し、また、円弧底部２０２の内部の収容空間において充填物２５が占める体積の比率を調整することができるようになっている。円弧球面ベース２０は、プラスチックカバー２３を備えており、このプラスチックカバー２３は、孔２３１に設置され、粒状物２５を円弧底部２０２の中に保持するようになっている。また、円弧底部２０２は、剛性または弾性の材料から形成されている。
【００２４】
更に、図６〜図８は、本考案の異なる角度に調整されたディスプレイ１００の側面図を示している。図６に示すように、ディスプレイ１００は、本来直立状態を維持している。ユーザーがディスプレイ１００を後方に向けてある角度に傾斜させると、粒状物２５は、図７の中の矢印が示す方向に、素早く平衡状態に移動し、ディスプレイ１００をこの傾斜角度に維持して動かなくする。また、図８に示すように、ユーザーがディスプレイ１００を前に向けて別の角度に傾斜させると、粒状物２５も矢印が示す方向に、別の平衡状態に素早く移動し、ディスプレイ１００をこの傾斜角度に維持して動かなくする。
【００２５】
よって、円弧底部２０２の中にある充填物の移動と平衡によって、水平面Ｈ上でディスプレイ１００を多方向に傾斜させるコントロールをすることができ、全方位でディスプレイの傾斜角度を調整することができるという効果を達成できる。
【００２６】
以上のように、本実施例のディスプレイは、ディスプレイ本体１０と、このディスプレイ本体１０を支持するとともに略球面形状の底面を有する円弧球面ベース２０とを備え、前記円弧球面ベース２０は中空であって、前記円弧球面ベース２０の内部に移動自在の充填物たる複数の粒状物２５を備え、この粒状物２５を移動させることによって前記ディスプレイ本体１０の傾斜角度を調節可能に構成したものである。
【００２７】
また、前記円弧球面ベース２０は、略球面形状の底面を有する容器状に形成された円弧底部２０２とこの円弧底部２０２を覆う上カバー部２０１とを備え、前記ディスプレイ本体１０は前記上カバー部２０１の上に設置されるとともに、前記円弧底部２０２と前記上カバー部２０１の間に前記粒状物２５を収容する収容部が形成されたものである。
【００２８】
また、前記粒状物２５は、前記収容部の体積の６０％〜９０％を占めているものである。
【００２９】
また、前記円弧底部２０２は、弾性材料からなるものである。
【００３０】
また、前記ディスプレイ本体１０は第一ロック部１１を備え、前記円弧球面ベース２０は第二ロック部２２を備え、前記第一ロック部１１と前記第二ロック部２２との接合によって前記ディスプレイ本体１０と前記円弧球面ベース２０が接合するように構成したものである。
【００３１】
また、前記第一ロック部１１は開口部であり、前記第二ロック部２２は前記開口部に嵌合する嵌合部であり、前記ディスプレイ本体１０と前記円弧球面ベース２０とを接合すると前記第二ロック部２２は前記第一ロック部１１内でロックするように構成されたものである。
【００３２】
以上の構成によれば、全く新しい発想の多方向に傾斜角度を自由に調整でき、置く場所を選ばすに快適に使用でき、その角度を平衡状態で維持することができるディスプレイを提供することができる。したがって、ディスプレイを置く場所を選ばず、使い勝手がよい。また、従来のディスプレイのような角度調整をするための機械的構造を有しないので、構造が簡単であって組み立てが容易である。
【００３３】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、特許請求の範囲を基準とする。
【図面の簡単な説明】
【００３４】
【図１】本考案のディスプレイの一実施例を示す斜視図である。
【図２】本考案のディスプレイの一実施例を示す側面図である。
【図３】本考案のディスプレイの一実施例を示す正面図である。
【図４】本考案のディスプレイの変形例を示す正面図である。
【図５】本考案のディスプレイの一実施例を示す分解図である。
【図６】本考案のディスプレイの直立時の状態を示す側面図である。
【図７】本考案のディスプレイの後方に傾斜させたときの状態を示す側面図である。
【図８】本考案のディスプレイの前方に傾斜させたときの状態を示す側面図である。
【符号の説明】
【００３５】
１０  ディスプレイ本体
１１  第一ロック部
２０  円弧球面ベース
２２  第二ロック部
２３  プラスチックカバー
２５  粒状物（充填物）
２６  ネジ
２０１  上カバー部
２０２  円弧底部
２０３  下カバー部
２３１、２３２  孔
Ｈ  水平面
【図１】
0003109357.tif 000003
【図２】
0003109357.tif 000004
【図３】
0003109357.tif 000005
【図４】
0003109357.tif 000006
【図５】
0003109357.tif 000007
【図６】
0003109357.tif 000008
【図７】
0003109357.tif 000009
【図８】
0003109357.tif 000010